(57)【特許請求の範囲】
【請求項１】
それぞれのリベット孔を位置合わせして２枚の板材を重ね合わせ、両リベット孔にリベットの軸部を挿通し、軸部の突出部分をリベット止め治具の打撃により押し潰してかしめ部となすリベット止め方法であって、リベット止め治具としてリベットの軸部の径よりやや大きい開口径をもつ軸端規制凹部と、軸端規制凹部に連通し、軸端規制凹部よりさらに大きい開口径をもつ整形用凹部が形成されたものを用い、リベット止め治具の軸端規制凹部にリベットの軸部の突出部分を係合させた状態で打撃して、整形用凹部でガイドして形を整えながら押し潰してかしめ部を作る、ことを特徴とするリベット止め方法。
【請求項２】
請求項１に記載のリベット止め方法において、前記２枚の板材が、玉軸受用波形保持器を構成する２枚の波形環状板とされ、この波形環状板の円周数カ所に有する玉収容用湾曲部それぞれの間の平坦部どうしがリベット止めされるものである、ことを特徴とするリベット止め方法。
【請求項３】
互いに重ね合わされた２枚の板材のリベット孔に挿通されたリベットの軸部の突出部分を打撃して押し潰しかしめ部となすリベット止め治具であって、リベットの軸部の径よりやや大きい開口径をもち打撃に際して軸部の突出部分を係合するための軸端規制凹部と、軸端規制凹部に連通し、軸端規制凹部よりさらに大きい開口径をもち軸部の突出部分をガイドして形を整えながら押し潰すための整形用凹部が形成されている、ことを特徴とするリベット止め治具。
【発明の詳細な説明】
【０００１】
【発明の属する技術分野】
本発明は、それぞれのリベット孔を位置合わせして２枚の板材を重ね合わせ、両リベット孔にリベットの軸部を挿通し、軸部の突出部分をリベット止め治具の打撃により押し潰してかしめ部となすリベット止め方法およびこの方法に用いるリベット止め治具に関するものである。
【０００２】
【従来の技術】
従来のリベット止め方法を説明する。
【０００３】
まず、図１１（ａ）に示すように、２枚の板材１，２をそれらのリベット孔１ａ，２ａを合致させた状態で重ね合わせる。ここで用いるリベット３は、頭部３ａと軸部３ｂとからなる。
【０００４】
そして、リベット３の軸部３ｂをリベット孔１ａ，２ａに挿通し、頭部３ａを板材１の板面に当接する。
【０００５】
この頭部３ａを台盤４で支持した状態でリベット３の突出部分３ｂ1 の軸端３ｃをリベット止め治具５の平坦面５ａで打撃することにより、図１１（ｂ）に示すように、突出部分３ｂ1 を軸方向に直角に押し広げるように潰してかしめ部３ｄとなし、頭部３ａとかしめ部３ｄとで両板材１，２を挟圧するようにしてリベット３にて両板材１，２を結合する。
【０００６】
なお、上述したリベット止め治具５として、図１２（ａ），（ｂ）に示すように、かしめ部３ｄの形を所期形状に誘導するための凹部５ｂが形成されたものを用いる場合もある。
【０００７】
また、リベット３として、図１３（ａ）に示すように、付け根側の大径軸部３ｂ2 とそれに連なる小径軸部３ｂ3 とを有するものを用いる場合もある。この場合、リベット孔への挿通が容易に行える。リベット３の軸端３ｃをリベット止め治具５の平坦面５ａで打撃することにより、図１３（ｂ）に示すように、小径軸部３ｂ3 の突出部分を軸方向に直角に押し広げるように潰してかしめ部３ｄとなすとともに、小径軸部３ｂ3 を太らせてリベット孔２ａの内周面に圧着させる。
【０００８】
【発明が解決しようとする課題】
ところで、使用するリベット３によっては、次のような不都合が発生することがある。
【０００９】
例えば図１１（ｄ）に示すように、リベット３の軸端３ｃが軸方向に垂直な面に対して傾斜している場合、リベット止め治具５の平坦面５ａで傾斜軸端３ｃを打撃すると、打撃圧は軸心まわりで均等にかからず、軸端３ｃの傾斜面に垂直な分力成分が生じる結果、図１１（ｃ）に示すように、軸部３ｂのうちリベット孔からの突出部分３ｂ1 が一方向に折れ曲がってしまう。また、２枚の板材１，２の境目に相当する箇所において軸部３ｂに座屈によるくびれ３ｅが生じる。
【００１０】
そして、図１２の場合、かしめ部３ｄを所期形状に誘導するための凹部５ｂがあっても、凹部５ｂの平坦な底面の径が軸部３ｂの径よりかなり大きいため、リベット３の軸端３ｃが傾斜しているときは誘導がうまく行われず、図１２（ｃ）に示すように、突出部分３ｂ1 がやはり折れ曲がってしまう。
【００１１】
さらに、図１３の場合も同様に、図１３（ｃ）に示すように、リベット３の突出部分３ｂ1 が折れ曲がってしまい、また、くびれ３ｅも生じ、さらに小径軸部３ｂ2 の太りが生じにくい。
【００１２】
以上のように、リベット３の軸端３ｃが傾斜している場合には、いずれの場合でも、かしめ部の形状が不良となり、２枚の板材１，２の結合不良を招くことになる。
【００１３】
したがって、本発明は、かしめ部の形状が良好で２枚の板材の結合性の高いリベット止め方法およびリベット止め治具を提供することを目的とする。
【００１４】
【課題を解決するための手段】
本発明に係る請求項１のリベット止め方法は、それぞれのリベット孔を位置合わせして２枚の板材を重ね合わせ、両リベット孔にリベットの軸部を挿通し、軸部の突出部分をリベット止め治具の打撃により押し潰してかしめ部となすリベット止め方法であって、リベット止め治具としてリベットの軸部の径よりやや大きい開口径をもつ軸端規制凹部と、軸端規制凹部に連通し、軸端規制凹部よりさらに大きい開口径をもつ整形用凹部が形成されたものを用い、リベット止め治具の軸端規制凹部にリベットの軸部の突出部分を係合させた状態で打撃して、整形用凹部でガイドして形を整えながら押し潰してかしめ部を作る。
【００１５】
このような請求項１では、まずリベットの軸部突出部分の軸端を軸端規制凹部または軸端規制底面と整形用凹部との境界部に係合させて軸端の位置規制を行い、この軸端位置規制状態で軸部突出部分を押し潰してゆくから、軸部突出部分の軸端が傾斜していても、軸部突出部分の折れ曲がりを防止しつつ、軸部突出部分を軸方向に対して直角に周方向で均等に押し広げるようにしてかしめ部とする。
【００１６】
本発明に係る請求項２のリベット止め方法は、請求項１の２枚の板材が、玉軸受用波形保持器を構成する２枚の波形環状板とされ、この波形環状板の円周数カ所に有する玉収容用湾曲部それぞれの間の平坦部どうしがリベット止めされるものである。
【００１７】
このような請求項２では、玉軸受波形保持器のリベットによる結合を強固にできるようになるとともに、回転動作時において玉の衝突に対してリベットが破損しにくくなる。
【００１８】
本発明に係る請求項３のリベット止め治具は、互いに重ね合わされた２枚の板材の各リベット孔に挿通されたリベットの軸部の突出部分を打撃して押し潰しかしめ部となすリベット止め治具であって、リベットの軸部の径よりやや大きい開口径をもち打撃に際して軸部の突出部分を係合するための軸端規制凹部と、軸端規制凹部に連通し、軸端規制凹部よりさらに大きい開口径をもち軸部の突出部分をガイドして形を整えながら押し潰すための整形用凹部が形成されている。
【００１９】
このような請求項３では、軸部突出部分の軸端が傾斜していても、軸端を位置規制し軸部突出部分の折れ曲がりを防止しつつ軸部突出部分を押し潰すもので、軸部突出部分を軸方向に対して直角に周方向で均等に押し広げたかしめ部とすることができる。
【００２０】
【発明の実施の形態】
以下、本発明の実施形態を図面に基づいて詳細に説明する。なお、実施形態１〜実施形態４は参考例であり、実施形態５〜実施形態８が本発明の実施形態である。以下、各実施形態においては、軸端が軸方向に垂直な面に対して傾斜しているリベットをかしめる場合について説明するが、軸端が軸方向に垂直となっている正常なリベットをかしめる場合はいうまでもなく良好なかしめを行うことができる。
【００２１】
〔実施形態１〕
図１（ａ）〜（ｄ）は実施形態１に係るリベット止め方法の状況を順次に示す概略図である。図示を分かりやすくするため、断面を示すハッチングは図示を省略している。
【００２２】
図１の（ａ）に示すように、リベット孔１ａ，２ａを位置合わせした状態で２枚の板材１，２を重ね合わせ、リベット孔１ａ，２ａにリベット３の軸部３ｂを挿通し、頭部３ａの座面を板材１の板面に当接する。軸部３ｂの先端側は突出している。その突出部分３ｂ1 の端面であるリベット３の軸端３ｃは、ここでは軸方向に垂直な面に対して傾斜しているものとする。
【００２３】
軸部３ｂの突出部分３ｂ1 をかしめるに際して、台盤４とリベット止め治具６を用いる。
【００２４】
リベット止め治具６は、底面の平坦面６ａに軸部３ｂの径ｄよりやや大きい径Ｄの開口６ｂをもつ上方に向かう軸端規制凹部６ｃが形成されたものである。軸端規制凹部６ｃの横断面形状は、リベット３の軸部３ｂの横断面形状である円形に合わせて円形となっている。
【００２５】
リベット３の頭部３ａを台盤４で支持し、リベット３の軸部３ｂの突出部分３ｂ1 の上方において軸部３ｂの軸心に対して軸端規制凹部６ｃの軸心が一致するようにしながらリベット止め治具６を位置決めする。
【００２６】
次に、リベット止め治具６を打ち下げると、図１（ｂ）に鎖線で示すように、まず、円形の軸端規制凹部６ｃの開口６ｂが傾斜軸端３ｃの最も高い部位に係合する。
【００２７】
こうして、傾斜軸端３ｃの直近の軸部３ｂの突出部分３ｂ1 に軸端規制凹部６ｃがガイドされる状態でリベット止め治具６が引き続いて下降し、図１（ｂ）に実線で示すように、傾斜軸端３ｃの最も低い部位にまで軸端規制凹部６ｃの開口６ｂが係合されるようになる。これにより、軸部３ｂの突出部分３ｂ1 の先端はリベット止め治具６の円形の軸端規制凹部６ｃに嵌入し、位置規制される。
【００２８】
軸部３ｂの突出部分３ｂ1 の先端を軸端規制凹部６ｃに嵌入し位置規制した状態でリベット止め治具６が引き続いて下降し、図１（ｃ）に示すように、軸端規制凹部６ｃの底面を打ちつけることにより突出部分３ｂ1 の軸端３ｃの高い側の部分から順次に押し潰してゆく。
【００２９】
これに並行して、板材２の上面におけるリベット孔２ａの周辺の肩部２ｂとリベット止め治具６の平坦面６ａにおける軸端規制凹部６ｃの周辺の肩部６ｄとで軸部３ｂの突出部分３ｂ1 を軸方向に挟圧するので、軸部３ｂの突出部分３ｂ1 が軸方向に対して直角に押し広げられ始める。
【００３０】
さらにリベット止め治具６が引き続いて下降し、図１（ｄ）に示すように、円形の軸端規制凹部６ｃの底面により軸端３ｃは平坦に潰されるとともに、両肩部２ｂ，６ｄの挟圧により軸部３ｂの突出部分３ｂ1 を軸方向に対して直角に周方向で均等に押し広げるように潰してゆき、かしめ部３ｄとなす。このリベット３のかしめ部３ｄと頭部３ａとで両板材１，２を挟圧するようにして２枚の板材１，２を結合する。
【００３１】
以上のように、リベット３の軸端３ｃが傾斜軸端となっていても、リベット止め治具６による打撃の初期段階で軸端３ｃの近傍の軸部突出部分３ｂ1 の先端を軸端規制凹部６ｃに嵌入して位置規制してしまうから、軸部突出部分３ｂ1 の折れ曲がりを避けるとともに、リベット孔１ａ，２ａに挿入されている軸部３ｂの途中部分にくびれが生じることを避けることができ、軸心を中心として周方向で均等に押し潰された回転体状のかしめ部３ｄを形成させることができる。
【００３２】
このような実施形態１においては軸端規制凹部６ｃが円形の凹部であったが、軸端規制凹部６ｃの形状は以下に説明する実施形態２〜８のように種々のものがある。
【００３３】
〔実施形態２〕
図２は実施形態２を説明する概略図である。この実施形態２のリベット止め治具６は、図２（ａ）に示すように、平坦面６ａにおける軸端規制凹部６ｃを半球状に形成したものである。半球状の軸端規制凹部６ｃの開口６ｂの径Ｄはリベット３の軸部３ｂの径ｄよりやや大きくなっている。
【００３４】
その他の構成は実施形態１と同様であるので、対応する部分に同一符号を付すにとどめ、説明を省略する。
【００３５】
動作についても実施形態１の場合と同様である。つまり、リベット３の軸部突出部分３ｂ1 の軸端３ｃが傾斜していても、鎖線で示すように、半球状の軸端規制凹部６ｃによりリベット３の軸部突出部分３ｂ1 を嵌入して位置規制した状態でリベット止め治具６による打撃を行うので、図２（ｂ）に示すように、軸部突出部分３ｂ1 の折れ曲がりを防止しつつ、軸端３ｃを半球状に潰し、かつ軸部突出部分３ｂ1 を周方向で均等に押し潰した回転体状のかしめ部３ｄを形成することができる。
【００３６】
〔実施形態３〕
図３は実施形態３を説明する概略図である。この実施形態３のリベット止め治具６は、図３（ａ）に示すように、平坦面６ａにおける軸端規制凹部６ｃを円錐状に形成したものである。円錐状の軸端規制凹部６ｃの開口６ｂの径Ｄはリベット３の軸部３ｂの径ｄよりやや大きくなっている。
【００３７】
その他の構成は実施形態１と同様であるので、対応する部分に同一符号を付すにとどめ、説明を省略する。
【００３８】
動作についても実施形態１の場合と同様である。つまり、リベット３の軸部突出部分３ｂ1 の軸端３ｃが傾斜していても、鎖線で示すように円錐状の軸端規制凹部６ｃによりリベット３の軸部突出部分３ｂ1 を嵌入して位置規制した状態でリベット止め治具６による打撃を行うので、図３（ｂ）に示すように、軸部突出部分３ｂ1 の折れ曲がりを防止しつつ、軸端３ｃを円錐状に潰し、かつ軸部突出部分３ｂ1 を周方向で均等に押し潰した回転体状のかしめ部３ｄを形成することができる。
【００３９】
〔実施形態４〕
図４は実施形態４を説明する概略図である。この実施形態４のリベット止め治具６は、実施形態３の円錐状の軸端規制凹部６ｃに代えて截頭円錐状の軸端規制凹部６ｃとしている。
【００４０】
その他の構成は実施形態３と同様であるので、対応する部分に同一符号を付すにとどめ、説明を省略する。
【００４１】
動作についても同様に、リベット３の軸部突出部分３ｂ1 の軸端３ｃが傾斜していても、軸部突出部分３ｂ1 の折れ曲がりを防止しつつ、軸端３ｃを截頭円錐状に潰し、かつ軸部突出部分３ｂ1 を周方向で均等に押し潰した回転体状のかしめ部３ｄを形成することができる。
【００４２】
なお、図２の半球状の軸端規制凹部６ｃに対してこの実施形態４と同様に截頭を施して実施してもよい。
【００４３】
〔実施形態５〕
図５は実施形態５を説明する概略図である。この実施形態５のリベット止め治具６は、図５（ａ）に示すように、平坦面６ａにおいてかしめ部３ｄの形状を整えるための截頭円錐状の整形用凹部６ｅを形成するとともに、この整形用凹部６ｅの奥部に円形の軸端規制凹部６ｃを形成したものである。円形の軸端規制凹部６ｃの開口径Ｄはリベット３の軸部３ｂの径ｄよりやや大きくなっている。
【００４４】
その他の構成は実施形態１と同様であるので、対応する部分に同一符号を付すにとどめ、説明を省略する。
【００４５】
動作については、軸端規制凹部６ｃによる作用は実施形態１の場合と同様である。つまり、リベット３の軸部３ｂの軸端３ｃが傾斜していても、円形の軸端規制凹部６ｃにより軸部３ｂの突出部分３ｂ1 を嵌入して位置規制した状態でリベット止め治具６による打撃を行うので、図５の（ｂ）に示すように軸部突出部分３ｂ1 の折れ曲がりを防止しつつ、軸端３ｃを平坦に潰す。
【００４６】
そして、截頭円錐状の整形用凹部６ｅによって軸部突出部分３ｂ1 を押し潰した回転体状のかしめ部３ｄを形成するので、平坦な肩部６ｄで押し潰す実施形態１の場合に比べて、板材２に対してより強く押しつけた、また周方向での形状の均等性がより高い回転体状のかしめ部３ｄとすることができる。
【００４７】
なお、截頭円錐状の整形用凹部６ｅと、図２の半球状の軸端規制凹部６ｃとの組み合わせ、または図３の円錐状の軸端規制凹部６ｃとの組み合わせ、あるいは図４の截頭円錐状の軸端規制凹部６ｃとの組み合わせで実施してもよい。
【００４８】
〔実施形態６〕
図６は実施形態６を説明する概略図である。この実施形態６のリベット止め治具６は、図６（ａ）に示すように、平坦面６ａにおいてかしめ部３ｄの形状を整えるための整形用凹部６ｅを部分球面状に形成するとともに、この整形用凹部６ｅの奥部に円形の軸端規制凹部６ｃを形成したものである。円形の軸端規制凹部６ｃの開口径Ｄはリベット３の軸部３ｂの径ｄよりやや大きくなっている。
【００４９】
その他の構成は実施形態５と同様であるので、対応する部分に同一符号を付すにとどめ、説明を省略する。
【００５０】
動作については、軸端規制凹部６ｃによる作用は実施形態１の場合と同様である。つまり、リベット３の軸部３ｂの軸端３ｃが傾斜していても、円形の軸端規制凹部６ｃにより軸部３ｂの突出部分３ｂ1 を嵌入して位置規制した状態でリベット止め治具６による打撃を行うので、図６（ｂ）に示すように、軸部突出部分３ｂ1 の折れ曲がりを防止しつつ、軸端３ｃを平坦に潰す。
【００５１】
そして、部分球面状の整形用凹部６ｅによって軸部突出部分３ｂ1 を押し潰した回転体状のかしめ部３ｄを形成するので、平坦な肩部６ｄで押し潰す実施形態１の場合に比べて、板材２に対してより強く押しつけた、また周方向での形状の均等性がより高い回転体状のかしめ部３ｄとすることができる。
【００５２】
なお、部分球面状の整形用凹部６ｅと、図２の半球状の軸端規制凹部６ｃとの組み合わせ、または図３の円錐状の軸端規制凹部６ｃとの組み合わせ、あるいは図４の截頭円錐状の軸端規制凹部６ｃとの組み合わせで実施してもよい。
【００５３】
〔実施形態７〕
図７は実施形態７を説明する概略図である。この実施形態７のリベット止め治具６は、実施形態５の軸端規制凹部６ｃを中心角の小さい凹面鏡状に形成している。
【００５４】
このリベット止め治具６は、図７（ａ）に示すように、平坦面６ａにおいてかしめ部３ｄの形状を整えるための截頭円錐状の整形用凹部６ｅを形成するとともに、この整形用凹部６ｅの奥部に上記したとおり凹面鏡状の軸端規制凹部６ｃを形成したものである。凹面鏡状の軸端規制凹部６ｃの開口径Ｄは、リベット３の軸部３ｂの径ｄよりやや大きくなっている。
【００５５】
その他の構成は実施形態５と同様であるので、対応する部分に同一符号を付すにとどめ、説明を省略する。
【００５６】
動作については、軸端規制凹部６ｃによる作用は実施形態１の場合と同様である。つまり、リベット３の軸部３ｂの軸端３ｃが傾斜していても、凹面鏡状の軸端規制凹部６ｃにより軸部３ｂの突出部分３ｂ1 を嵌入して位置規制した状態でリベット止め治具６による打撃を行うので、図７（ｂ）に示すように、軸部突出部分３ｂ1 の折れ曲がりを防止しつつ、軸端３ｃを凹面鏡状に潰す。
【００５７】
そして、截頭円錐状の整形用凹部６ｅによって軸部突出部分３ｂ1 を押し潰した回転体状のかしめ部３ｄを形成するので、平坦な肩部６ｄで押し潰す実施形態１の場合に比べて、板材２に対してより強く押しつけることができて、周方向での形状の均等性がより高い回転体状のかしめ部３ｄとすることができる。
【００５８】
〔実施形態８〕
図８は実施形態８を説明する概略図である。この実施形態８のリベット止め治具６は、実施形態５の軸端規制凹部６ｃの深さを極限まで小さくしている。
【００５９】
このリベット止め治具６は、図８（ａ）に示すように、平坦面６ａにおいてかしめ部３ｄの形状を整えるための截頭円錐状の整形用凹部６ｅを形成するとともに、この整形用凹部６ｅの奥部を平坦にして軸端規制底面６ｃ′に形成したものである。軸端規制底面６ｃ′の径Ｄはリベット３の軸部３ｂの径ｄよりやや大きくなっている。
【００６０】
その他の構成は実施形態５と同様であるので、対応する部分に同一符号を付すにとどめ、説明を省略する。
【００６１】
動作については、図８（ｂ）〜（ｄ）に示すように、リベット３の軸部３ｂの軸端３ｃが傾斜していても、リベット３の傾斜軸端３ｃの最も高い部位に対して軸端規制底面６ｃ′と截頭円錐状の整形用凹部６ｅとの境界部が係合し、そのまま位置規制しながら軸端３ｃを順次に潰して平坦化し、引き続いて軸部３ｂの突出部分３ｂ1 を截頭円錐状の整形用凹部６ｅにてガイドして形を整えながら、軸部突出部分３ｂ1 を軸方向に対して直角に押し広げるように押し潰して回転体状のかしめ部３ｄを形成する。
【００６２】
したがって、軸部突出部分３ｂ1 の折れ曲がりを防止するとともに、実施形態５に比べて軸端規制凹部６ｃがない分だけ板材２に対してより強く押しつけたかしめ部３ｄとすることができる。
【００６３】
なお、このような軸端規制底面６ｃ′と、図６に示す部分球面状の整形用凹部６ｅとの組み合わせで実施してもよい。
【００６４】
以上、いずれの実施形態においても、リベット３の軸端３ｃの傾斜の有無のいかんにかかわらず、周方向で均等に押し潰された形状の良好な回転体状のかしめ部３ｄを作ることができるため、２枚の板材１，２の結合性を良好なものにすることができる。
【００６５】
なお、本発明は上述した実施形態のみに限定されるものではなく、種々な応用や変形が考えられる。
【００６６】
例えば、リベット３としては、図９に示すように付け根側の大径軸部３ｂ2 とそれに連なる小径軸部３ｂ3 とを有するものを対象としてもよい。このような段付きのリベット３に対するかしめの作用については、小径軸部３ｂ3 の径が太ってリベット孔１ａ，２ａに密着するようになるほかは、上記の各実施形態と同様となる。なお、軸端規制凹部６ｃの横断面形状はリベット３の軸部３ｂの横断面形状と相似形でなくてもよい。
【００６７】
また、上述したいずれかの実施形態を玉軸受用波形保持器に適用した場合には、その波形保持器の信頼性を向上させることができる。
【００６８】
具体的に、波形保持器の一例を図１０に示す。２枚の板材製の波形環状板１１，１２はそれぞれ半円状の湾曲部１１ａ，１２ａと平坦部１１ｂ，１２ｂとを交互に有している。転動体である玉１３を収容するポケット１４を作る状態で両湾曲部１１ａ，１２ａどうしを対接させるとともに両平坦部１１ｂ，１２ｂどうしを対接させ、両平坦部１１ｂ，１２ｂどうしをリベット１５でかしめ止めすることにより玉軸受用波形保持器１６を製作している。
【００６９】
ところで、図示しない外輪と内輪とに摺接して転動する玉１３は対接する湾曲部１１ａ，１２ａの両方に同時に等しく衝突する場合だけでなく、個別的に衝突する。個別的に衝突したときにリベット１５に剪断力が作用するが、上記の実施形態のようにかしめ部が良好な形状をしたリベット止めをしておくと、リベット１５の破損を確実に抑制し、波形保持器１６の信頼性を向上させることができるのである。
【００７０】
【発明の効果】
本発明に係る請求項１のリベット止め方法によれば、リベットの軸部突出部分の軸端を軸端規制凹部または軸端規制底面と整形用凹部との境界部に係合させて軸端の位置規制を行い、この軸端位置規制状態で軸部突出部分を押し潰してゆくから、軸部突出部分の軸端が傾斜していても、軸部突出部分の折れ曲がりを防止しつつ、軸部突出部分を軸方向に対して直角に周方向で均等に押し広げたかしめ部とすることができる。
【００７１】
本発明に係る請求項２のリベット止め方法では、上記請求項１において、玉軸受用波形保持器のリベットによる結合に適用したものであり、これにより、波形保持器の結合を強固にできるようになるとともに、回転動作時において玉の衝突に対してリベットが破損しにくくなる。
【００７２】
本発明に係る請求項３のリベット止め治具によれば、軸部突出部分の軸端が傾斜していても、軸端を位置規制し軸部突出部分の折れ曲がりを防止しつつ軸部突出部分を押し潰すもので、軸部突出部分を軸方向に対して直角に周方向で均等に押し広げたかしめ部とすることができる。
【図面の簡単な説明】
【図１】実施形態１のリベット止め方法を示す概略図
【図２】実施形態２のリベット止め方法を示す概略図
【図３】実施形態３のリベット止め方法を示す概略図
【図４】実施形態４のリベット止め方法を示す概略図
【図５】実施形態５のリベット止め方法を示す概略図
【図６】実施形態６のリベット止め方法を示す概略図
【図７】実施形態７のリベット止め方法を示す概略図
【図８】実施形態８のリベット止め方法を示す概略図
【図９】他の実施形態のリベット止め方法を示す概略図
【図１０】玉軸受用波形保持器の斜視図
【図１１】従来のリベット止め方法を示す概略図
【図１２】従来のリベット止め方法を示す概略図
【図１３】従来のリベット止め方法を示す概略図
【符号の説明】
１      板材
１ａ    リベット孔
２      板材
２ａ    リベット孔
３      リベット
３ａ    頭部
３ｂ    軸部
３ｂ1   突出部分
３ｃ    軸端
３ｄ    かしめ部
４      台盤
６      リベット止め治具
６ｃ    軸端規制凹部
６ｃ′  軸端規制底面
６ｅ    整形用凹部
１１      波形環状板
１１ａ    湾曲部
１１ｂ    平坦部
１２      波形環状板
１２ａ    湾曲部
１２ｂ    平坦部
１３      玉
１５      リベット
１６      玉軸受用波形保持器
【図１】
0003795208.tif 000002
【図２】
0003795208.tif 000003
【図３】
0003795208.tif 000004
【図４】
0003795208.tif 000005
【図５】
0003795208.tif 000006
【図６】
0003795208.tif 000007
【図７】
0003795208.tif 000008
【図８】
0003795208.tif 000009
【図９】
0003795208.tif 000010
【図１０】
0003795208.tif 000011
【図１１】
0003795208.tif 000012
【図１２】
0003795208.tif 000013
【図１３】
0003795208.tif 000014